(57)【要約】  本発明は、足の指が地面を掴む動作を向上させることが可能なインソールを提供することを目的とする。  靴のインソール１は、少なくとも足の母趾球と小趾球が乗る趾球部８より爪先側の前足部Ｐの硬度を趾球部８の硬度より低くした構成とする。
2014061110.tif 000002
【特許請求の範囲】
【請求項１】
少なくとも足の母趾球と小趾球が乗る趾球部より爪先側の前足部の硬度を前記趾球部の硬度より低くしたことを特徴とする靴のインソール。
【請求項２】
複数の層材を積層して構成され、
前記複数の層材のうち、中間層の層材の前足部がカットされていることを特徴とする請求項１に記載の靴のインソール。
【請求項３】
前記前足部の硬度が、Ｅ２０／Ｓ〜Ｅ７０／Ｓ（ＪＩＳ  Ｋ  ６２５３）であることを特徴とする請求項１又は２に記載の靴のインソール。
【請求項４】
前記趾球部の硬度が、Ｅ４０／Ｓ〜Ｅ９０／Ｓ（ＪＩＳ  Ｋ  ６２５３）であることを特徴とする請求項１乃至３のいずれかに記載の靴のインソール。
【発明の詳細な説明】
【技術分野】
【０００１】
本発明は、靴のインソールに関する。
【背景技術】
【０００２】
従来、靴のインソールにおいて、立方骨を支点に足を裏から支持する凸部を備え、この凸部によって足の骨格バランスを整えて、立方骨を支点とした足の運動を許容したインソールが知られている（例えば、特許文献１参照）。
【先行技術文献】
【特許文献】
【０００３】
【特許文献１】特許第４７３３９５７号公報
【発明の概要】
【発明が解決しようとする課題】
【０００４】
上記従来のインソールでは、足のバランスが整えられていることから足の指が地面を掴む動作を容易に行うことが可能であったが、足の指が地面を掴む動作をより容易に行うことが可能なインソールが望まれている。
本発明は、上述した事情に鑑みてなされたものであり、足の指が地面を掴む動作を向上させることが可能なインソールを提供することを目的とする。
【課題を解決するための手段】
【０００５】
上記目的を達成するために、本発明は、少なくとも足の母趾球と小趾球が乗る趾球部より爪先側の前足部の硬度を前記趾球部の硬度より低くしたことを特徴とする。【０００６】
上記構成において、複数の層材を積層して構成され、前記複数の層材のうち、中間層の層材の前足部がカットされていてもよい。【０００７】
上記構成において、前記前足部の硬度が、Ｅ２０／Ｓ〜Ｅ７０／Ｓ（ＪＩＳ  Ｋ  ６２５３）であってもよい。【０００８】
上記構成において、前記趾球部の硬度が、Ｅ４０／Ｓ〜Ｅ９０／Ｓ（ＪＩＳ  Ｋ  ６２５３）であってもよい。
【発明の効果】
【０００９】
本発明によれば、少なくとも足の母趾球と小趾球が乗る趾球部より爪先側の前足部の硬度を前記趾球部の硬度より低くしたため、足の指が地面を掴む動作を向上させることが可能となる。
【図面の簡単な説明】
【００１０】
【図１】図１は、本発明の第１実施形態に係るインソールを示す斜視図である。
【図２】図２は、足の骨格構造を示す平面図である。
【図３】図３は、足の骨格を重ね合わせたインソールを示す平面図及び横方向断面図である。
【図４】図４は、足の骨格を重ね合わせたインソールを示す平面図及び縦方向断面図である。
【図５】図５は、回内運動を示す斜視図である。
【図６】図６は、回外運動を示す斜視図である。
【図７】図７は、インソールを示す分解斜視図である。
【図８】図８は、足とインソールとの関係を示す側面図、ベース部材層を示す底面図、ポスティング部材層を示す底面図である。
【図９】図９は、本発明の第２実施形態に係るインソールを示す斜視図である。
【図１０】図１０は、足の骨格を重ね合わせたインソールを示す平面図及び横方向断面図である。
【図１１】図１１は、足の骨格を重ね合わせたインソールを示す平面図及び縦方向断面図である。
【図１２】図１２は、インソールを示す分解斜視図である。
【図１３】図１３は、足とインソールとの関係を示す側面図、ベース部材層を示す底面図、ポスティング部材層を示す底面図である。
【発明を実施するための形態】
【００１１】
以下、図面を参照して本発明の実施形態について説明する。
＜第１実施形態＞
図１は、本実施形態に係るインソールを示す斜視図である。
インソール１は、足が接する側の表面素材層（層材）２、中間層のベース部材層（層材）４、及び、靴に接する側のポスティング部材層（層材）６の３つの層材よりなる積層構造である。
インソール１を使用する者の足の形状には個人差があり、一定でないので、ポスティング部材層６の各部位の厚みを変更することでインソール１の各部位の厚みに差をつけることができるようになっている。
【００１２】
一般的な足形に対応させて数種類のインソール１を予め準備することで汎用性を持たせることもでき、個別に足形をとってポスティング部材層６の厚みを調整することにより、使用者の足形に適合させたインソール１を製作することもできる。
ポスティング部材層６の厚みを調整することにより、インソール１の足が接する側、すなわち、表面素材には凹凸が形成される。また、ポスティング部材層６は、肉抜き部分を形成してインソール１の変形を容易にする。
なお、平坦なインソールを予め用意して別体の凸状部材をインソール表面に着脱自在に装着したり、また、複数層のインソールの中間層に凸状部材を装着したりして、表面素材に凹凸が形成されることもある。
【００１３】
平面視したときのインソール１の形状は、靴の内部輪郭に倣った形状であり、靴の内部に収納される外縁輪郭７８を備えている。外縁輪郭７８を靴の内部輪郭に適合させることで、インソール１挿入時に靴の中でそのインソール１は所定の位置に装着される。このインソール１は、全体の大きさが使用者の足のサイズに応じて選定され、数種類の厚みと数種類のサイズのものを準備することで、汎用性を持たせることができる。
【００１４】
本実施形態のインソール１について、その構成や機能作用を説明するため、次に、足の骨格構造について説明する。
図２は、足の骨格構造を示す平面図である。この図面は上方から見た図面であり、骨同士が重なり合っているために骨の一部が隠れていることに留意されたい。足の裏から見た底面図は、図２の平面図とは骨の重なり方が異なる。
図２に示されるように、足の骨格構造１０は、踵骨１２、距骨１４、舟状骨１６、立方骨１８、第１〜第３楔状骨２０，２２，２４、第１〜第５中足骨２６，２８，３０，３２，３４、第１〜第５基節骨３６，３８，４０，４２，４４、第２〜第５中節骨４６，４８，５０，５２、第１〜第５末節骨５４，５６，５８，６０，６２より構成される。第１〜第５中足骨２６，２８，３０，３２，３４の前端部は、第１〜第５中足骨頭部２６Ａ（母趾球２６Ａとも言う。），２８Ａ，３０Ａ，３２Ａ，３４Ａ（小趾球３４Ａとも言う。）である。
【００１５】
図１及び図２に示すように、ポスティング部材層６は、靴側において踵骨１２部位及び趾骨１４部位で平坦になっており、靴内に安定して装着できるようになっている。ポスティング部材層６には、特定部位に凸部８０（図３等参照）が形成され、凹凸構成に特徴がある。特定部位の凸部８０は、前述の通り、別体の凸状部材により形成されることもある。
以下、凸部８０について詳細に説明する。
図３は足の骨格を重ね合わせたインソール１を示す平面図及び横方向断面図、図４は足の骨格を重ね合わせたインソール１を示す平面図及び縦方向断面図である。図３及び図４は、右足用のインソール１及び右足の骨格を示しているが、左足用のインソール１及び左足の骨格は鏡像対称となる。
【００１６】
図３の横方向断面図を参照すると、インソール１はａ断面の基節骨３６〜４２付近を横切る上面及び下面は平坦である。個人差はあるが、足とインソール１と靴はほぼ全面で接する。ａ断面には肉抜き部分はない。
ｂ断面は中足骨２６〜３４を横切る横アーチに相当する部位であり、一般的な足に対応して土踏まずに相当する部位で厚みが厚く、右足外側に向けて表面側が下傾して厚みが漸減し、最外縁に隆起縁部７９を備えている。また、左右内外側の裏面には、平坦部分の両側において肉抜き部分８２，８４が形成されており、ｂ断面における左右への変形を若干許容できるようになっている。
【００１７】
ｃ断面は、立方骨１８に相当する部位で最大厚みの凸部８０を備えている。凸部８０は、立方骨１８に相当する部位から左右に向って下傾して厚みを漸減させている。図３において、左右に向う表面側の厚みの漸減程度は僅かにしか見えないが、これは足に土踏まずがあるために、その形状に適合させているからである。換言すると、インソール１を装着した靴内に足を入れて立位姿勢になったとき、立方骨１８に相当する凸部８０は、足裏面に最大応力を作用させる。インソール１は、凸部８０から左右に離れるに従い応力が緩徐に漸減する構成である。
また、インソール１の底面側の構成として、靴に接する部位は立方骨１８に相当する部位、すなわち、凸部８０の裏側において平坦である。この構成により、立方骨１８には靴から常に反力が作用する。左右内外側の裏側には、肉抜き部分８２，８４が形成される。上述のｂ断面、後述するｄ断面と対比して、ｃ断面の肉抜き部分８２，８４は大きくなっており、立方骨１８に相当する両側で最大であり、前後に向って肉抜き部分は小さくなる。ｃ断面の表面側を両側縁に向って下傾させるだけでなく、肉抜き部分８２，８４を大きくすることにより、インソール１は凸部８０から両側にずれた部位において変形が容易になり、足に作用する応力は凸部８０から左右に離れるに従い漸減する。
【００１８】
ｄ断面は踵骨１２前方を、ｅ断面は踵骨１２後方を横切って縦アーチ後方終点に相当する部位である。一般的な足に対応して踵を支持するように表面側は比較的平坦である。両側に向けて表面側が上傾して厚みが漸増し、最外縁に隆起縁部７９を備えている。左右内外側の裏面には、平坦部分の両側において肉抜き部分８２，８４が形成されており、ｄ断面及びｅ断面における左右への変形を若干許容できるようになっている。
【００１９】
図４の縦方向断面図を参照すると、インソール１のｆ断面及びｇ断面は、内側縦アーチを構成する楔状骨２０〜２４、舟状骨１６に相当する部位において表面が隆起している。本実施形態のインソール１は、立方骨１８に相当する部位だけを支持するのではなく、安定性を考慮して他の部分においても支持する。ただし、足の運動を拘束するような構成ではない。
そのため、ｂ断面〜ｄ断面を参照して説明したように、ｆ断面及びｇ断面にも示されるように、肉抜き部分８２が設けられており、インソール１は、凸部８０の内側において沈下できるようになっている。ｃ断面を参照して説明したように、楔状骨２０〜２４、舟状骨１６に相当する部位に力が作用した場合においても、肉抜き部分８２によりインソール１が変形することで作用する応力を緩和する。
【００２０】
ｈ断面は、立方骨１８に相当する部位で最大厚みの凸部８０を備えている。凸部８０は、立方骨１８に相当する部位から前後に向って下傾して厚みを漸減させている。換言すると、インソール１を装着した靴内に足を入れて立位姿勢になったとき、立方骨１８に相当する凸部８０は、足裏面に最大応力を作用させる。インソール１は、凸部８０から前後に離れるに従い応力が緩徐に漸減する構成である。
また、インソール１の底面側の構成として、靴に接する部位は立方骨１８に相当する部位、すなわち、凸部８０の裏側において平坦である。この構成により、立方骨１８には靴から常に反力が作用する。
【００２１】
ｉ断面は外側縦アーチを構成する第５中足骨３４に相当する部位において表面が隆起している。当該部位は凸部８０の外側に位置しており、安定性を考慮して若干の盛り上がりがある。ただし、足の運動を拘束するような構成ではない。
外側縦アーチに相当する部位には肉抜き部分８４が設けられており、インソール１は、凸部８０の外側においても沈下できるようになっている。ｃ断面を参照して説明したように、外側縦アーチの第５中足骨３４に力が作用した場合においても、肉抜き部分８４によりインソール１が変形することで作用する応力を緩和する。
【００２２】
図３の横断面と図４の縦断面を参照して説明したように、インソール１は、凸部８０を中心にして前後左右の放射方向に下傾させることで、立方骨１８を集中的に支持し、立方骨１８から前後左右にずれた足の部位ではその部位に作用する応力が漸減する。これによって、以下に説明するように、正常な姿勢を維持できるとともに、運動機能を向上させることができる。
また、立方骨１８に相当する部位において足を裏から支持し、立方骨１８を中心として左右前後へ下傾させ、さらに、肉抜き部分８２，８４を設けることにより運動を許容することで、使用者自身がそれぞれの足で立方骨１８を中心として調芯して正常な姿勢に復帰しようとする刺激が与えられる。
【００２３】
足の骨は、部分的な関節に着目すると、ショパール関節とリスフラン関節に分けることができる。ショパール関節は、足部の踵側の関節であり、図２中、踵骨１２、距骨１４、舟状骨１６、立方骨１８からなる関節である。他方、リスフラン関節は、足部の趾側の関節であり、図２中、立方骨１８、第１〜３楔状骨２０〜２４、第１〜５中足骨２６〜３４からなる関節である。
立方骨１８は、ショパール関節とリスフラン関節を同時に構成する唯一の骨であり、重要な部位に位置する。筋力の低下や靭帯のゆるみなどが原因で立方骨１８が正常な位置でなくなることによりショパール、リスフラン関節のゆがみが生じる。このゆがみによって、前足部外反や前足部内反を引き起こすのである。立方骨１８を中心に支持することにより、ショパール関節とリスフラン関節のゆがみを解消することができ、正常な姿勢を維持することができる。
また、関節であるため固定的に支持するだけでは運動機能を阻害する。そのため、運動を許容することも必要であり、インソール１は凸部８０を中心にして放射方向には表面が下傾して応力を緩和する構成となっているので、両関節の運動を許容できる。
【００２４】
次に、機能面に着目すると、足の骨は、運動性を司る内側コンパートメントと安定性に関係する外側コンパートメントから構成されていると見ることができる。内側コンパートメントは、距骨１４、舟状骨１６、楔状骨２０〜２４、第１趾〜第３趾の末節骨５４〜５８、中節骨４６，４８、基節骨３６〜４０、中足骨２６〜３０からなる骨群であり、主として、走ったり止まったりという運動に用いられる。他方、外側コンパートメントは、踵骨１２、立方骨１８、第４趾〜第５趾の末節骨６０，６２、中節骨５０，５２、基節骨４２，４４、中足骨３２，３４からなる骨群であり、立位姿勢の体を支えるために用いられる。
立方骨１８は、外側コンパートメントの中心であると同時に、内側コンパートメントの中心になる舟状骨１６や楔状骨２０〜２４も下方から支える構造になっている。図２では平面図のために距骨１４、舟状骨１６に隠れている。構造的には立方骨１８にすべての骨格に加わった力が集中する。そのため、立方骨１８が不安定だと足全体の剛性も低くなりゆがみやすくなり、力の伝達も悪くなる。
足に加わった力は立方骨１８に応力集中するようになっているため、立方骨１８を下方から支えることで足全体の剛性が高まり過剰なゆがみを防ぐことができ、力の伝達がよくなる。また、足が回内運動、回外運動を行う際、いずれも立方骨１８の下方への低下を伴うが、立方骨１８を理想的な位置で下方から支えると中立位が再現できるので、運動機能を向上させることもできる。
【００２５】
次に、足の運動の種類に着目する。図５は回内運動を示す斜視図、図６は回外運動を示す斜視図である。
回内とは、図５に示すように、足部の外転ＡＢＤ、背屈ＤＦ、外反ＥＶを伴った動きで、足全体が内側にねじれる動きのことである。回外とは、図６に示すように、回内の逆の動きで、足部の内転ＡＤＤ、底屈ＰＦ、内反ＩＮＶを伴った、足全体が外方向にねじれる動きである。
足が回内すると脛骨（スネの骨）は内旋（内向きに回旋）する。脛骨の内旋と連動して大腿骨（太ももの骨）も内旋する。足が回外すると脛骨は外旋(外向きに回旋）する。脛骨の外旋と連動して大腿骨も外旋する。正常な歩行や運動を行うためには適度な回内や回外は必要不可欠な動きであり、足の歪みは過剰な回内、回外によって引き起こされる。
【００２６】
本実施形態のインソール１（図１）は、単に凸部８０により立方骨１８付近を支持するだけでなく、各運動を許容するようになっている。インソール１は、立方骨１８相当部位を下方から支える形になり、足の骨格の過剰なゆがみを補正、予防しながら回内運用及び回外運動をスムーズに誘導する。すなわち、インソール１を装着した際、凸部８０を頂点として立方骨１８が支持される。立方骨１８が下方から支持されるので、足は左右前後への中立位（ニュートラル）を維持しながら、立方骨１８を支点として回内運動では外反を許容されるとともに回外運動では内反を許容される。これにより、インソール１が関節の正常な動きを妨げることなく、他の部位での代償の必要性も少なく前後左右への重心の移動が容易になる。すなわち、インソール１は、足をギプスのように固定的に拘束するのではなく、凸部８０から放射方向に表面が下傾して応力を緩和し、さらに、肉抜き部分を設けてインソール１自体を変形しやすくすることで運動を許容するようになっている。
【００２７】
このように、本実施形態では、凸部８０によって立方骨１８を支点に足を裏から支持し、足の骨格バランスを整えて、立方骨１８を支点とした足の運動を許容しているので、足の指が地面を掴む動作も容易に行うことが可能である。
さらに、本実施形態では、インソール１を、足の指が地面を掴む動作をより向上させることが可能な構成としている。
【００２８】
図７は、インソール１を示す分解斜視図である。図８は、足とインソール１との関係を示す側面図、ベース部材層４を示す底面図、ポスティング部材層６を示す底面図である。
足の指が地面を掴む動作は、図２における基節骨３６〜４４、中節骨４６〜５２及び末節骨５４〜６２を含むいわゆる指に相当する部分のインソール１が、母趾球２６Ａと小趾球３４Ａが乗る部分のインソール１より柔らかくなっている場合に容易に行える。
そこで、本実施形態のインソール１は、図３、図７及び図８に示すように、母趾球２６Ａと小趾球３４Ａが乗る趾球部８より爪先側の前足部Ｐが趾球部８よりも柔らかく形成されている。
【００２９】
より詳細には、ベース部材層４は、芯材として機能する層材であり、全体としては例えば合成樹脂を用いて形成され、前足部Ｐ（４Ｐ）が他の部分Ｒ（４Ｒ）よりも柔らかい素材で構成されている。ベース部材層４の他の部分Ｒの前端４Ａは、中足骨２６〜３４の前端に略沿ってなだらかに湾曲した形状となっている。表面素材層２及びポスティング部材層６は、それぞれ単一の素材で構成され、ベース部材層４の他の部分Ｒに比べて柔らかい材料、例えば合成樹脂で形成したスポンジを用いて形成されている。
ここで、足の内側に位置する外縁輪郭７８とベース部材層４における他の部分Ｒの前端４Ａとの交点を点α、インソール１の先端を点β、足の外側に位置する外縁輪郭７８と前端４Ａとの交点を点γとすると、点βと点α及び点γとを外縁輪郭７８に沿って結んだ線と、点αと点γとを前端４Ａに沿って結んだ線とに囲まれる部分が前足部Ｐとなる。前端４Ａは、第２中足骨２８に相当する部分が最も先端点β側にあり、点αは点γよりも先端点β側にある。
【００３０】
このように、インソール１の前足部Ｐを他の部分Ｒと比較して柔らかく形成したため、足の指を曲げやすくなるとともに足の指に力を入れやすくなり、足の指で地面を掴む動作を容易に行うことが可能となる。
【００３１】
インソール１は、硬度が高すぎても低すぎても、安定性を確保することができない。したがって、本実施形態では、インソール１の他の部分Ｒの硬度は、インソール１としての安定性を確保することが可能な硬度、例えばＥ４０／Ｓ〜Ｅ９０／Ｓに設定されている。ここで、本実施形態の硬度は、ＪＩＳ  Ｋ  ６２５３に準拠する「デュロメータ  タイプＥ  スプリング式」を用いて測定した際の硬度とする。
インソール１の前足部Ｐは、硬度が高すぎると足の指で地面を掴む動作を行うことが困難になり、硬度が低すぎると安定性を確保することができない。したがって、本実施形態では、インソール１の前足部Ｐの硬度は、Ｅ２０／Ｓ〜Ｅ７０／Ｓに設定されている。なお、インソール１の前足部Ｐの硬度は、インソール１の他の部分Ｒの硬度よりも少なくともＥ３／Ｓだけ低いものとする。
このように、前足部Ｐとその他の部分Ｒとの硬度のバランスが上記の範囲となるようにインソール１を構成することにより、足の指に力をより入れやすくなるので、足の指で地面を掴む動作を力強く行うことができる。また、立方骨１８を支点に足を裏から支持する凸部８０を設けたため、凸部８０及び前足部Ｐの硬度の低さの相乗効果により、足の指が地面を掴む動作をより容易に行うことが可能になる。
【００３２】
以上説明したように、本実施形態によれば、インソール１は、少なくとも足の母趾球２６Ａと小趾球３４Ａが乗る他の部分Ｒより爪先側の前足部Ｐの硬度を他の部分Ｒの硬度より低くし、より具体的には、ベース部材層４の前足部Ｐをベース部材層４の他の部分Ｒの硬度よりも低い硬度の素材で形成する構成とした。この構成により、足の指を曲げやすくなるとともに足の指に力を入れやすくなり、足の指の掴む動作を容易に行うことが可能となる。
【００３３】
＜第２実施形態＞
次に、第２実施形態について説明する。
第１実施形態のインソール１ではベース部材層４の前足部Ｐをベース部材層４の他の部分Ｒの硬度よりも低い硬度の素材で形成したが、第２実施形態のインソール１００ではベース部材層１０４の前足部Ｐをカットすることにより、前足部Ｐの硬度を他の部分Ｒの硬度より低くしている。
図９は、本発明の第２実施形態に係るインソール１００を示す斜視図である。図１０は足の骨格を重ね合わせたインソール１００を示す平面図及び横方向断面図であり、図１１は足の骨格を重ね合わせたインソール１００を示す平面図及び縦方向断面図である。図１２は、インソール１００を示す分解斜視図である。図１３は、足とインソール１００との関係を示す側面図、ベース部材層１０４を示す底面図、ポスティング部材層６を示す底面図である。なお、第２実施形態では、ベース部材層１０４以外は第１実施形態と略同一に構成されるため、図９−図１３では、同一部分には同一符号を付して示し、その説明を省略する。
【００３４】
表面素材層２、ベース部材層（層材）１０４及びポスティング部材層６は、それぞれ単一の素材で構成されている。前足部Ｐがカットされて形成されたベース部材層１０４の前端１０４Ａは、中足骨２６〜３４の前端に略沿ってなだらかに湾曲した形状となっている。
ここで、足の内側に位置する外縁輪郭７８とベース部材層１０４の前端１０４Ａとの交点を点α、インソール１００の先端を点β、足の外側に位置する外縁輪郭７８とベース部材層１０４の前端１０４Ａとの交点を点γとすると、点βと点α及び点γとを外縁輪郭７８に沿って結んだ線と、点αと点γとを前端１０４Ａに沿って結んだ線とに囲まれる部分が前足部Ｐとなる。ベース部材層１０４の前端１０４Ａは、第２中足骨２８に相当する部分が最も先端点β側にあり、点αは点γよりも先端点β側にある。
【００３５】
このように、ベース部材層１０４の前足部Ｐをカットすることにより、インソール１００の前足部Ｐが他の部分Ｒと比較して柔らかくなるため、足の指を曲げやすくなるとともに足の指に力を入れやすくなり、足の指で地面を掴む動作を容易に行うことが可能となる。また、本実施形態では、ベース部材層１０４の前足部Ｐをカットすることにより、インソール１００の前足部Ｐが他の部分Ｒよりも薄くなるので、これによっても、足の指を曲げやすくなるとともに足の指に力を入れやすくなり、足の指で地面を掴む動作を容易に行うことが可能となる。
インソール１００の硬度は、第１実施形態の硬度と略同一に設定されている。これにより、足の指に力をより入れやすくなるので、足の指で地面を掴む動作を力強く行うことができる。
【００３６】
また、表面素材層２、ベース部材層１０４及びポスティング部材層６をそれぞれ単一の素材で構成し、ベース部材層１０４をカットするという簡単な方法により、インソール１００の前足部Ｐを柔らかく且つ薄くすることができるので、インソール１００を容易に製造できる。
また、中間層のベース部材層１０４をカットしたため、表面素材層２に段差が生じないので、足の指が地面を掴む動作を円滑に行うことができるとともに、インソール１００を使用する者に段差による不快感を与えることを防止できる。
【００３７】
以上説明したように、本実施形態によれば、インソール１００が複数の層材２，１０４，６を積層して構成され、中間層であるベース部材層１０４の足の母趾球２６Ａと小趾球３４Ａが乗る位置より爪先側の前足部Ｐをカットして積層される構成とした。この構成により、インソール１００の前足部Ｐがその他の部分Ｒより柔らかく且つ薄くなるので、足の指を曲げやすくなるとともに足の指に力を入れやすくなり、足の指の掴む動作を容易に行うことが可能となる。
【００３８】
また、本実施形態によれば、各層材２，１０４，６がそれぞれ単一の素材で構成されているため、ベース部材層１０４をカットするという簡単な構成により、インソール１００の前足部Ｐを柔らかく且つ薄くすることができるので、インソール１００を容易に製造できる。
【００３９】
また、本実施形態によれば、積層した層材２，４，６の前足部Ｐの硬度が、他の部分Ｒの硬度より低いため、足の指を曲げやすくなるとともに足の指に力を入れやすくなり、足の指の掴む動作を容易に行うことが可能となる。
【００４０】
但し、上記実施形態は本発明の一態様であり、本発明の趣旨を逸脱しない範囲において適宜変更可能であるのは勿論である。
例えば、上記実施形態では、インソールは、表面素材層、ベース部材層及びポスティング部材層の３つの層材を積層して構成されていたが、層材の数はこれに限定されるものではない。例えば、インソールを２つの層材を積層して構成し、下側の層材の前足部の硬度を下側の層材の他の部分の硬度より低くしてもよい。また、層材が３つ以上の場合には、前足部の硬度を低くする層材は中間層に限定されるものではない。
【００４１】
また、インソールの前足部の硬度を他の部分の硬度より低くする構成は、上記の第１及び第２実施形態に限らず、例えばインソールの少なくとも１つの層材を薄くすることにより、インソールの前足部Ｐの硬度を低くしてもよい。
【００４２】
また、上記実施形態では、第１〜第５中足骨頭部側の足を安定させるためにその他の部分に凸部を形成したが、その他の部分に凸部を設けなくとも、本発明の足の指の掴む動作を容易に行えるという効果を奏し得る。
【００４３】
また、上記実施形態では、ベース部材層の他の部分全体の硬度をベース部材層の前足部の硬度より高くしたが、少なくともベース部材層の趾球部の硬度を前足部の硬度より高くすればよい。
【符号の説明】
【００４４】
１，１００  インソール
２  表面素材層（層材）
４，１０４  ベース部材層（層材、中間層）
６  ポスティング部材層（層材）
２６Ａ  母趾球
３４Ａ  小趾球
Ｐ  前足部
Ｒ  他の部分（趾球部）
【図１】
2014061110.tif 000003
【図２】
2014061110.tif 000004
【図３】
2014061110.tif 000005
【図４】
2014061110.tif 000006
【図５】
2014061110.tif 000007
【図６】
2014061110.tif 000008
【図７】
2014061110.tif 000009
【図８】
2014061110.tif 000010
【図９】
2014061110.tif 000011
【図１０】
2014061110.tif 000012
【図１１】
2014061110.tif 000013
【図１２】
2014061110.tif 000014
【図１３】
2014061110.tif 000015
【手続補正書】
【提出日】平成27年10月8日(2015.10.8)
【手続補正１】
【補正対象書類名】特許請求の範囲
【補正対象項目名】全文
【補正方法】変更
【補正の内容】
【特許請求の範囲】
【請求項１】
少なくとも足の母趾球と小趾球が乗る趾球部より爪先側の前足部の硬度を前記趾球部の硬度より少なくともＥ３／Ｓ低くし、前記前足部の硬度が、Ｅ２０／Ｓ〜Ｅ７０／Ｓ（ＪＩＳ  Ｋ  ６２５３）であり、前記趾球部の硬度が、Ｅ４０／Ｓ〜Ｅ９０／Ｓ（ＪＩＳ  Ｋ  ６２５３）であることを特徴とする靴のインソール。
【請求項２】
複数の層材を積層して構成され、
前記複数の層材のうち、中間層の層材の前足部がカットされていることを特徴とする請求項１に記載の靴のインソール。
【手続補正２】
【補正対象書類名】明細書
【補正対象項目名】０００５
【補正方法】変更
【補正の内容】
【０００５】
上記目的を達成するために、本発明の靴のインソールは、少なくとも足の母趾球と小趾球が乗る趾球部より爪先側の前足部の硬度を前記趾球部の硬度より少なくともＥ３／Ｓ低くし、前記前足部の硬度が、Ｅ２０／Ｓ〜Ｅ７０／Ｓ（ＪＩＳ  Ｋ  ６２５３）であり、前記趾球部の硬度が、Ｅ４０／Ｓ〜Ｅ９０／Ｓ（ＪＩＳ  Ｋ  ６２５３）であることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
足の第１〜第５中足骨の各前端に沿ってなだらかに湾曲させて、第１〜第５中足骨頭部が乗る趾球部と爪先側の前足部とに区切られ、爪先側の前足部の硬度を前記趾球部の硬度より少なくともＥ３／Ｓ低くし、前記前足部の硬度が、Ｅ２０／Ｓ〜Ｅ７０／Ｓ（ＪＩＳ  Ｋ  ６２５３）であり、前記趾球部の硬度が、Ｅ４０／Ｓ〜Ｅ９０／Ｓ（ＪＩＳ  Ｋ  ６２５３）であることを特徴とする靴のインソール。
【請求項２】
複数の層材を積層して構成され、
前記複数の層材のうち、中間層の層材の前足部がカットされていることを特徴とする請求項１に記載の靴のインソール。
【手続補正２】
【補正対象書類名】明細書
【補正対象項目名】０００５
【補正方法】変更
【補正の内容】
【０００５】
上記目的を達成するために、本発明の靴のインソールは、足の第１〜第５中足骨の各前端に沿ってなだらかに湾曲させて、第１〜第５中足骨頭部が乗る趾球部と爪先側の前足部とに区切られ、爪先側の前足部の硬度を前記趾球部の硬度より少なくともＥ３／Ｓ低くし、前記前足部の硬度が、Ｅ２０／Ｓ〜Ｅ７０／Ｓ（ＪＩＳ  Ｋ  ６２５３）であり、前記趾球部の硬度が、Ｅ４０／Ｓ〜Ｅ９０／Ｓ（ＪＩＳ  Ｋ  ６２５３）であることを特徴とする。
【国際調査報告】
2014061110.tif 000016
2014061110.tif 000017